(57)【特許請求の範囲】
【請求項１】
セルフタイマによる撮影を行うことができる撮像装置であって、
撮影の準備を案内する所定の再生時間の音声が収録されている第１の音声ファイルを再生する再生手段と、
前記再生手段による前記第１の音声ファイルの再生終了を契機として、計時を行うことなく１回の撮影を実行する撮影手段と、
前記再生手段による再生と前記撮影手段による撮影の実行とを、繰り返し所定回数実行するように制御する制御手段と、
を備えることを特徴とする撮像装置。
【請求項２】
前記制御手段は、セルフタイマによる撮影開始の指示を契機として、計時を行うことなく前記再生手段による再生を開始し、以降、前記再生手段による再生と前記撮影手段による撮影の実行とを、計時を行うことなく繰り返し所定回数実行するように制御する、
ことを特徴とする請求項１に記載の撮像装置。
【請求項３】
前記再生手段により前記第１の音声ファイルに収録された前記所定の再生時間の音声が最後まで再生されたか否かを判断する判断手段を更に備え、
前記撮影手段は、前記判断手段により前記所定の再生時間の音声が最後まで再生されたと判断されたことを契機として、１回の撮影を実行する、
ことを特徴とする請求項１又は２に記載の撮像装置。
【請求項４】
セルフタイマによる撮影の内容に応じた音声ファイルを前記第１の音声ファイルとして予め記憶する記憶手段を更に備える、
ことを特徴とする請求項３に記載の撮像装置。
【請求項５】
前記第１の音声ファイルは、セルフタイマによる撮影が実行されるタイミングをユーザが認識可能となる音声を含む、
ことを特徴とする請求項４に記載の撮像装置。
【請求項６】
任意の再生時間の音声が収録された任意の音声ファイルを前記第１の音声ファイルとして記憶させることが可能な記憶手段を更に備える、
ことを特徴とする請求項１乃至５のいずれか1項に記載の撮像装置。
【請求項７】
前記所定の再生時間は、連続して実行されるセルフタイマ撮影の間隔に対応するように設定されている、
ことを特徴とする請求項１乃至６のいずれか1項に記載の撮像装置。
【請求項８】
前記第１の音声ファイルは、複数種用意され、
前記再生手段は、所定の基準に基づき、複数種の中から前記第１の音声ファイルを選択して再生する、
ことを特徴とする請求項１乃至７のいずれか1項に記載の撮像装置。
【請求項９】
前記第１の音声ファイルは、再生時間の異なる複数種が用意されている、
ことを特徴とする請求項８に記載の撮像装置。
【請求項１０】
前記第１の音声ファイルは、音声の内容の異なる複数種が用意されている、
ことを特徴とする請求項８又は９に記載の撮像装置。
【請求項１１】
前記所定の基準は、撮影回数に基づくものであり、当該撮影回数における何回目の撮影であるかによる、
ことを特徴とする請求項８に記載の撮像装置。
【請求項１２】
前記所定の基準は、直前に撮影された撮影画像を解析した解析内容に基づく、
ことを特徴とする請求項８乃至１１のいずれか1項に記載の撮像装置。
【請求項１３】
前記再生手段は、１回目の前記第１の音声ファイル再生の前に、撮影の開始を案内する第２の音声ファイルを再生する、
ことを特徴とする請求項１乃至１２のいずれか１項に記載の撮像装置。
【請求項１４】
前記再生手段は、前記所定回数の撮影終了後に、撮影の終了を案内する第３の音声ファイルを再生する、
ことを特徴とする請求項１乃至１３のいずれか１項に記載の撮像装置。
【請求項１５】
前記撮影手段により撮影された複数の静止画から１の動画を生成する動画生成手段を、更に備える、
ことを特徴とする請求項１乃至１４のいずれか１項に記載の撮像装置。
【請求項１６】
音声を集音して音声ファイルを作成する音声ファイル作成手段を、更に備え、
前記第１の音声ファイルは、前記音声ファイル作成手段を介してユーザにより作成可能である、
ことを特徴とする請求項１乃至１５のいずれか１項に記載の撮像装置。
【請求項１７】
前記音声ファイル作成手段は、集音された音声のうちの有音部分を検出し、当該検出した有音部分の後に続けて所定時間の無音部分を付加して前記第１の音声ファイルを作成する、
ことを特徴とする請求項１６に記載の撮像装置。
【請求項１８】
セルフタイマによる撮影を行うことができる撮像装置で実行される撮像方法であって、
撮影の準備を案内する所定の再生時間の音声が収録されている第１の音声ファイルを再生する再生処理と、
前記再生処理による前記第１の音声ファイルの再生終了を契機として、計時を行うことなく１回の撮影を実行する撮影処理と、
前記再生処理による再生と前記撮影処理による撮影の実行とを、繰り返し所定回数実行する制御処理と、
を含むことを特徴とする撮像方法。
【請求項１９】
セルフタイマによる撮影を行うことができる撮像装置を制御するコンピュータに、
撮影の準備を案内する所定の再生時間の音声が収録されている第１の音声ファイルを再生する再生機能と、
前記再生機能による前記第１の音声ファイルの再生終了を契機として、計時を行うことなく１回の撮影を実行する撮影機能と、
前記再生機能による再生と前記撮影機能による撮影の実行とを、繰り返し所定回数実行する制御機能と、
を実現させることを特徴とするプログラム。
【発明の詳細な説明】
【技術分野】
【０００１】
本発明は、撮像装置、撮像方法及びプログラムに関する。
【背景技術】
【０００２】
従来より、一定のタイマ時間毎にセルフタイマ撮影を連続して行える機能が知られている。例えば、特許文献１のように、ユーザが所定の範囲で任意にタイマ時間を設定できる技術が開示されている。
【先行技術文献】
【特許文献】
【０００３】
【特許文献１】特開２００２−２３７９８６号公報
【発明の概要】
【発明が解決しようとする課題】
【０００４】
また、タイマ動作の残り時間をＬＥＤや音声によってユーザに報知する技術も開示されているが、連続する複数回の撮影の間隔と１回ごとのタイマ動作の残り時間の管理や報知を効果的に行なえるものはなかった。
【０００５】
本発明は、このような状況に鑑みてなされたものであり、より効率的にセルフタイマ撮影を連続して行えるようにすることを目的とする。
【課題を解決するための手段】
【０００６】
上記目的を達成するため、本発明の一態様の撮像装置は、
撮影の準備を案内する所定の再生時間の音声が収録されている第１の音声ファイルを再生する再生手段と、
前記再生手段による前記第１の音声ファイルの再生終了を契機として、計時を行うことなく１回の撮影を実行する撮影手段と、
前記再生手段による再生と前記撮影手段による撮影の実行とを、繰り返し所定回数実行するように制御する制御手段と、
を備えることを特徴とする。
【発明の効果】
【０００７】
本発明によれば、より効率的にセルフタイマ撮影を連続して行えるようにすることができる。
【図面の簡単な説明】
【０００８】
【図１】本発明の一実施形態に係る撮像装置のハードウェアの構成を示すブロック図である。
【図２】図１の撮像装置の機能的構成のうち、セルフタイマ撮影処理及びガイド音声作成処理を実行するための機能的構成を示す機能ブロック図である。
【図３】撮影設定情報記憶部に記憶される被写体テーブルを示す図である。
【図４】ガイド情報記憶部に記憶されるガイド表示データの例を示す模式図である。
【図５】ガイド情報記憶部に記憶されるガイド音声テーブルを示す図である。
【図６】本実施形態における動画ファイルの生成例を示す模式図である。
【図７】図２の機能的構成を有する図１の撮像装置が実行する連続セルフタイマ撮影処理の流れを説明するフローチャートである。
【図８】連続セルフタイマ撮影処理のうち、撮影条件設定処理の詳細な流れを説明するフローチャートである。
【図９】撮影条件設定処理のうち、撮影対象判定処理の詳細な流れを説明するフローチャートである。
【図１０】連続セルフタイマ撮影処理のうち、ガイド音声選択処理の詳細な流れを説明するフローチャートである。
【図１１】連続セルフタイマ撮影処理のうち、ガイド音声出力前処理の詳細な流れを説明するフローチャートである。
【図１２】図２の機能的構成を有する図１の撮像装置が実行するガイド音声作成処理の詳細な流れを説明するフローチャートである。
【図１３】変化度テーブル及び複雑度テーブルを説明する図である。
【図１４】撮影条件設定処理のうち、撮影対象判定処理の詳細な流れの変形例を説明するフローチャートである。
【図１５】連続セルフタイマ撮影処理のうち、ガイド音声選択処理の詳細な流れの変形例を説明するフローチャートである。
【図１６】連続セルフタイマ撮影処理のうち、ガイド音声選択処理の詳細な流れの他の変形例を説明するフローチャートである。
【発明を実施するための形態】
【０００９】
以下、本発明の実施形態について、図面を用いて説明する。
【００１０】
図１は、本発明の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、センサ部１７と、入力部１８と、出力部１９と、記憶部２０と、通信部２１と、ドライブ２２と、を備えている。
【００１２】
ＣＰＵ１１は、ＲＯＭ１２に記録されているプログラム、又は、記憶部２０からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、センサ部１７、入力部１８、出力部１９、記憶部２０、通信部２１及びドライブ２２が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像」と呼ぶ。撮像画像は、ＣＰＵ１１等に適宜供給される。
【００１８】
センサ部１７は、撮像装置１の相対的な位置や角度を計測する。本実施形態において、センサ部１７は、３軸加速度センサ等の各種センサにより構成される。
【００１９】
入力部１８は、マイクや各種釦等で構成され、ユーザの操作に応じて音声や情報等を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信を制御する。
【００２０】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２１】
以上のように構成される撮像装置１は、撮影者が撮影者側に撮像装置を向けて撮影する自分撮りの機能を有する。撮影に際し、撮像装置１では、所定の間隔で連続して撮影を行うようにセルフタイマで撮影を行って、撮影実行前に撮影の準備をユーザに促すガイド音声やガイド表示を行う機能を有する。
また、撮像装置１では、撮影した複数の画像を用いて、動画を生成する機能を有する。
【００２２】
撮像装置１では、本実施形態においては、ポージングショット機能を有する。ポージングショット機能とは、一回の撮影動作を行うと音声ガイダンスにより、間隔をおいて５回撮影を行う機能である。これにより自分撮りのときに撮影のたびに自分でシャッターを押す必要がないので、ポーズや表情を作ることに専念できる。また１回の撮影で５枚続けて撮影ができるので、そのたびごとにシャッターを押す必要もない。撮影と撮影の間隔が音声ガイドで知らされるため、ポーズや表情が作るタイミングが計りやすい。
【００２３】
図２は、このような撮像装置１の機能的構成のうち、セルフタイマ撮影処理及びガイド音声作成処理を実行するための機能的構成を示す機能ブロック図である。
セルフタイマ撮影処理とは、セルフタイマにより複数回の撮影を行い、撮影した複数枚の画像を用いて動画を生成するまでの一連の処理をいう。
また、セルフタイマ撮影処理では、撮影条件を設定する撮影条件設定処理と、ガイド音声を選択するガイド音声選択処理と、撮影に際してガイド音声を出力するガイド音声出力処理と、撮影した画像を用いて動画を生成する動画生成処理の各種処理を含む。
なお、ガイド音声作成処理については、後述する。
【００２４】
セルフタイマ撮影処理を実行する場合には、図２に示すように、ＣＰＵ１１において、メモリ管理部５１と、撮影条件設定処理部５２と、入力操作検出部５３と、ガイド音声選択処理部５４と、ガイド音声出力前処理部５５と、出力制御部５６と、撮像制御部５７と、静止画生成部５８と、姿勢管理部５９と、動画生成部６０と、が機能する。
【００２５】
また、記憶部２０の一領域には、撮影設定情報記憶部８１と、ガイド情報記憶部８２と、画像記憶部８３と、姿勢情報記憶部８４と、が記憶される。
【００２６】
撮影設定情報記憶部８１には、撮影枚数を設定するために参照する被写体テーブル等の撮影設定情報が記憶される。
【００２７】
図３は、撮影設定情報記憶部８１に記憶される被写体テーブルを示す図である。
被写体テーブルは、撮影枚数を設定するために用いるテーブルであり、図３に示すように、撮影枚数の設定に際して取得した撮像画像から検出される被写体と、撮影枚数とが対応付けられているテーブルである。被写体テーブルでは、変化の多い撮影対象の場合には多い撮影枚数とするように、検出された被写体が動きの多い人物（子供）である場合に、最も撮影枚数が多く、動きの少ない、例えば風景等の人物以外である場合に最も撮影枚数が少なく設定される。
【００２８】
図２に戻り、ガイド情報記憶部８２には、ガイド音声ファイルやガイド表示データやガイド音声テーブル等のガイド情報が記憶される。
【００２９】
ガイド音声ファイルには、ユーザが録音した音声や撮影に関する音声（例えば、「スリー・ツー・ワン」、「スタート」、「ＯＫ！」等）が入力されている。
【００３０】
図４は、ガイド情報記憶部８２に記憶されるガイド表示データの例を示す模式図である。
ガイド表示データは、ライブビュー画像に半透明に重畳表示される画像であり、撮影対象がライブビュー画像を見ながら、表示される画像と同じポーズをとることで、撮影実行のきっかけにするときに用いる。図４の例では、画像の中央で人が手を上げているガイド表示データ（図中、破線で示す）が透過的にライブビュー画像に表示されている。撮影対象者は、ガイド表示を見ながら、ガイド表示画像に一致するようにポーズを取り、画像にポーズが合致した場合に、撮影が実行される。本例では、ガイド表示と、所定の合致度で一致することで合致とみなす状態であるとする。
【００３１】
図５は、ガイド情報記憶部８２に記憶されるガイド音声テーブルを示す図である。
ガイド音声テーブルは、図５に示すように、各種条件と、ガイド音声ファイル・ガイド表示データ・名称・再生時間と、が対応付けられたテーブルである。
なお、ガイド音声テーブルでは、所定のルールで対応付けがなされている。即ち、例えば、１枚目（全撮影共通の場合兼用）に名称を対応付けられるものとする。また、対応するガイド表示があるものとないものがあるものとする。また、全撮影共通の１のみでもよく、この場合対応するガイド表示ないものとする。また、ユーザが作成したガイド音声ファイルにはガイド表示に対応付けはないものとする。また、撮像画像に応じて適宜選択・再生する音声ガイドは、対応するガイド表示はなく自動選択のみに使用されるので名称がなく、ユーザによる選択は不可とする。
【００３２】
図２に戻り、画像記憶部８３には、静止画ファイルや動画ファイル等の各種画像のデータが記憶される。
【００３３】
姿勢情報記憶部８４には、センサ部１７から取得した撮像装置１の位置や角度等の撮像装置の姿勢情報が記憶される。
【００３４】
メモリ管理部５１は、記憶部２０の記憶可能な容量としてメモリ残量を取得し、撮影可能な所定の量以上のメモリ残量があるか否かを判定する。
【００３５】
撮影条件設定処理部５２は、撮影条件設定処理を実行する。
撮影条件設定処理とは、取得した撮像画像内の被写体を検出し、検出した被写体に応じた撮影枚数を設定したり、メモリ残量と設定した撮影枚数に基づいて、画像サイズを設定したりするまでの処理である。
撮影枚数は、本実施形態においては、被写体が人物か否か、人物である場合には、子供か子供以外かによって異なるように構成される。
具体的には、撮影条件設定処理部５２により、撮像画像内の被写体の検出結果に基づいて、図３に示す被写体テーブルを参照することにより、撮影枚数を設定する。
また、撮影枚数は、メモリ残量が少ない場合には、枚数を少なくするように設定される。
さらに、画像サイズは、メモリ残量が少ない場合には、画像サイズを小さくするように設定される。
【００３６】
入力操作検出部５３は、入力部１８に対する撮影開始操作等の各種操作を検出する。
【００３７】
ガイド音声選択処理部５４は、ガイド音声選択処理を実行する。
ガイド音声選択処理とは、どのガイド音声を使用するかを選択したり、ガイド音声を撮影ごとに変更するか否かを選択したり、撮影ごとに変更する場合には、何枚目の撮影かに応じて変更するかを選択したりする処理である。
【００３８】
具体的には、ガイド音声選択処理部５４は、音声ファイル（ガイド音声）は、どのガイド音声を使用するか、全撮影で同じ音声とするか、何枚目を撮影するかに応じて変更するかをユーザ設定により切り換える。
【００３９】
ガイド音声出力前処理部５５は、ガイド音声出力前処理を実行する。
ガイド音声出力前処理とは、ガイド音声を出力する状態にする一連の処理である。
詳細には、ガイド音声出力前処理は、被写体がガイド表示に一致した場合にガイド音声を出力する状態としたり、撮像装置の位置に変化がない上に撮像画像において画像の変化がないとした場合にガイド音声を出力する状態としたりするまでの処理である。
また、本実施形態のガイド音声出力前処理では、同じ撮影位置、角度から撮影を行うことを禁止しており、撮影位置と角度が過去の撮影位置と角度と一致した場合に、重複して撮影を行うとしている旨のメッセージ（以下、「重複撮影メッセージ」という。）を注意喚起的に表示して、ガイド音声を出力しない状態にするように構成される。
【００４０】
具体的には、ガイド音声出力前処理部５５は、半透過表示（ガイド表示）を表示するか否かはユーザ設定により切り換えられる。
また、ガイド音声出力前処理部５５は、音声ファイルに対応付けて記憶されているガイド表示を、選択されている音声ファイルに応じて、切り換える。この際、ガイド表示と被写体の合致の検出において、ガイド音声出力前処理部５５は、連続する撮像画像の比較から移動物体（被写体）を検出し、検出した被写体の位置が所定時間（例えば、１秒）一定であるとみなされる状態が継続した場合に停止したとみなす。また、検出した被写体とガイド表示との合致を判別し、所定時間（例えば、１秒）合致しているとみなされる状態が継続した場合に合致したとみなす。
また、撮像装置の停止の判別においては、ガイド音声出力前処理部５５は、撮像装置１の備える角度検出手段で撮像装置本体の移動を検出し、所定時間（例えば、１秒）同じ撮影位置、角度とみなされる状態が継続した場合に停止したとみなす。そして、撮像装置が閾値以上移動した場合は、撮影位置、角度を変えて撮影するものとみなして、移動が停止したことを検出した際の撮像装置の位置、角度を取得し、記憶されている撮影済みの撮影位置、角度との一致を判別して、一致する場合は、重複撮影である旨のメッセージ表示を行う。
【００４１】
出力制御部５６は、ガイド情報記憶部８２に記憶されるガイド音声を、ガイド音声選択処理での選択に基づいて、再生するように出力部１９を制御する。
【００４２】
撮像制御部５７は、撮像部１６を制御する。具体的には、撮像制御部５７は、ハーフシャッタ処理（ＡＥ、ＡＦ、ＡＷＢ）をするように撮像部１６を制御したり、設定された撮像条件に基づいて、撮像部１６を制御したりする。また、撮像制御部５７は、被写体の検出用、撮影位置の判断用に、撮像画像を出力させるように撮像部１６を制御したりする。
【００４３】
静止画生成部５８は、撮像部１６からの出力に基づいて、静止画ファイルを生成する。そして、静止画生成部５８は、生成した画像ファイルを画像記憶部８３に記憶させる。
【００４４】
姿勢管理部５９は、センサ部１７からの出力に基づいて、撮像装置１の位置や角度を管理する。姿勢管理部５９は、センサ部１７から取得した撮像装置１の位置や角度の情報を姿勢情報として姿勢情報記憶部８４に記憶させる。
【００４５】
動画生成部６０は、画像記憶部８３に記憶される複数の静止画ファイルを用いて、動画ファイルを生成する。本実施形態においては、動画生成部６０は、取得した静止画ファイルを時系列に所定の間隔で表示されるような動画ファイルを生成する。なお、連続して撮影した複数の静止画ファイル全てから別途動画ファイルを作成し、静止画ファイルは残すように構成する。
【００４６】
図６は、本実施形態における動画ファイルの生成例を示す模式図である。
本実施形態においては、図６の例に示すように、例えば、５枚の静止画ファイルを取得した場合、所定時間（本実施形態においては、１秒）各静止画ファイルが表示され、静止画ファイル間は、例えば、画像がワイプさせるような効果等の静止画間効果を所定の時間（本実施形態においては、０．２５秒）設けるように構成される合計６秒間の動画を生成する。
【００４７】
また、ガイド音声作成処理を実行する場合には、図２に示すように、ＣＰＵ１１において、ガイド音声作成処理部６１が機能する。
【００４８】
ガイド音声作成処理部６１は、ガイド音声作成処理を実行する。
ガイド音声作成処理とは、入力した音声をガイド音声用に調整してガイド音声を作成する一連の処理である。ガイド音声作成処理では、入力した音声から有音部分だけを検出して、検出した有音部分に所定の長さの無音部分を追加する調整を行ってガイド音声を作成する。
具体的には、ガイド音声作成処理部６１は、声が切れた後すぐにレリーズが行われないように、録音の音声が切れた時点から所定時間（例えば１秒）の無音時間を追加して音声ファイルを作成する。
また、ガイド音声作成処理部６１は、名称はユーザが任意に入力可能とする。
【００４９】
図７は、図２の機能的構成を有する図１の撮像装置１が実行する連続セルフタイマ撮影処理の流れを説明するフローチャートである。
連続セルフタイマ撮影処理は、ユーザによる入力部１８への連続セルフタイマ撮影処理開始の操作により開始される。
【００５０】
ステップＳ１１において、メモリ管理部５１は、メモリ残量を取得する。即ち、メモリ管理部５１は、記憶部２０の記憶可能な容量としてメモリ残量を取得する。
【００５１】
ステップＳ１２において、メモリ管理部５１は、閾値以上か否かを判定する。即ち、メモリ管理部５１は、例えば、連続撮影する５枚を記憶する所定のメモリ残量以上か否かを判定する。
閾値以上でない場合には、ステップＳ１２においてＮＯと判定されて、連続セルフタイマ撮影処理は、終了する。
閾値以上である場合には、ステップＳ１２においてＹＥＳと判定されて、処理はステップＳ１３に進む。
【００５２】
ステップＳ１３において、撮影条件設定処理部５２は、撮影条件設定処理を実行する。その結果、撮影条件（撮影枚数や画像サイズ）が設定される。撮影条件設定処理の詳細な流れについては後述する。
【００５３】
ステップＳ１４において、入力操作検出部５３は、入力部１８に対する撮影開始操作を検出する。
【００５４】
ステップＳ１５において、ガイド音声選択処理部５４は、ガイド音声選択処理する。その結果、撮影時に出力されるガイド音声が選択される。ガイド音声選択処理の詳細な流れについては後述する。
【００５５】
ステップＳ１６において、ガイド音声出力前処理部５５は、ガイド音声出力前処理する。その結果、ガイド表示を行ったり、ガイド音声の出力に適した状態への調整が行われたりする。ガイド音声出力前処理の詳細な流れについては、後述する。
【００５６】
ステップＳ１７において、出力制御部５６は、ガイド情報記憶部８２に記憶されるガイド音声を、ガイド音声選択処理での選択に基づいて、ガイド音声を再生するように出力部１９を制御する。その結果、出力部１９から選択に基づいたガイド音声が再生される。
【００５７】
ステップＳ１８において、出力制御部５６は、出力部１９において再生が終了したか否かを判定する。
再生が終了しない場合には、ステップＳ１８においてＮＯと判定されて、再生が終了するまで待機状態となる。
再生が終了した場合には、ステップＳ１８においてＹＥＳと判定されて、処理はステップＳ１９に進む。
【００５８】
ステップＳ１９において、撮像制御部５７は、ハーフシャッタ処理（ＡＥ、ＡＦ、ＡＷＢ）をするように撮像部１６を制御する。
【００５９】
ステップＳ２０において、撮像制御部５７は、ステップＳ１３で撮影条件設定処理によりメモリ残量を考慮して設定された画像サイズ（判定画像サイズ）、ステップＳ１９で取得されたＡＥ、ＡＦ、ＡＷＢの値で撮影ごとの撮影条件を設定する。
【００６０】
ステップＳ２１において、撮像制御部５７は、設定された撮影条件で撮影を実行するように撮像部１６を制御する。
【００６１】
ステップＳ２２において、静止画生成部５８は、撮像部１６からの出力に基づいて静止画ファイル生成する。その後、静止画生成部５８は、静止画を画像記憶部８３に記憶させる。
【００６２】
ステップＳ２３において、姿勢管理部５９は、センサ部１７から取得された現在の撮像装置の位置、角度（取得済みの撮像装置の位置、角度）を一時的に姿勢情報記憶部８４に記憶させる。
【００６３】
ステップＳ２４において、撮像制御部５７は、ステップ１３で撮影条件設定処理により設定された枚数撮影に達したか否かを判定する。
設定枚数撮影していない場合には、ステップＳ２４においてＮＯと判定されて、処理はステップＳ１５に戻る。
設定枚数撮影した場合には、ステップＳ２４においてＹＥＳと判定されて、処理はステップＳ２５に進む。
【００６４】
ステップＳ２５において、動画生成部６０は、画像記憶部８３に記憶された今回連続して撮影された静止画に基づいて、動画ファイルを生成する。その後、動画生成部６０は、画像記憶部８３に動画ファイルを記憶させる。
その後、連続セルフタイマ撮影処理は終了する。
【００６５】
図８は、連続セルフタイマ撮影処理のうち、撮影条件設定処理の詳細な流れを説明するフローチャートである。
【００６６】
ステップＳ４１において、撮影条件設定処理部５２は、撮像部１６から撮像画像を取得する。
【００６７】
ステップＳ４２において、撮影条件設定処理部５２は、後述する撮影対象判定処理を実行する。その結果、撮影条件設定処理部５２は、撮像画像の被写体検出結果から被写体テーブルを参照して、撮影枚数を決定する。
【００６８】
ステップＳ４３において、撮影条件設定処理部５２は、撮影対象判定処理で決定された撮影枚数に基づいて、撮影枚数設定する。
【００６９】
ステップＳ４４において、撮影条件設定処理部５２は、取得済みのメモリ残量から画像サイズを設定する。即ち、撮影条件設定処理部５２は、撮影枚数分の容量を加味してメモリ残量が少ない場合には、画像サイズを小さくするように設定する。
【００７０】
ステップＳ４５において、撮影条件設定処理部５２は、ユーザによる変更があった場合には、当該変更を受け付けて撮影枚数を変更する。
【００７１】
図９は、撮影条件設定処理のうち、撮影対象判定処理の詳細な流れを説明するフローチャートである。
【００７２】
ステップＳ６１において、撮影条件設定処理部５２は、撮像画像から公知の人物検出技術を使用して人物を検出する。
【００７３】
ステップＳ６２において、撮影条件設定処理部５２は、検出された被写体を公知の人物解析技術を使用して子供か否かを判定する。
子供でない場合には、ステップＳ６２においてＮＯと判定されて、処理は判定結果を踏まえてステップＳ６３に進む。
子供の場合には、ステップＳ６２においてＹＥＳと判定されて、処理は判定結果を踏まえてステップＳ６３に進む。
【００７４】
ステップＳ６３において、撮影条件設定処理部５２は、被写体テーブルを参照する。具体的には、撮影条件設定処理部５２は、図３に示す被写体テーブルを参照して、判定した被写体に対応する枚数から撮影枚数を決定する。
【００７５】
図１０は、連続セルフタイマ撮影処理のうち、ガイド音声選択処理の詳細な流れを説明するフローチャートである。
【００７６】
ステップＳ８１において、ガイド音声選択処理部５４は、撮影ごとガイド音声を変更するか否かを判定する。
撮影ごと変更しない場合には、ステップＳ８１においてＮＯと判定されて、ガイド音声選択処理は終了する。
撮影ごと変更する場合には、ステップＳ８１においてＹＥＳと判定されて、処理はステップＳ８２に進む。
【００７７】
ステップＳ８２において、ガイド音声選択処理部５４は、図５に示すガイド音声テーブルを参照し、何枚目の撮影かに応じてガイド音声を変更する。
なお、どのガイド音声、或いは撮影ごとにガイド音声を変更するどのグループを使用するかは、連続セルフタイマ撮影処理の開始に先立ったユーザにより選択されているものとし、ガイド音声選択処理部５４は、選択されているガイド音声或いはガイド音声のグループに基づき、ガイド音声選択処理を実行する。
【００７８】
図１１は、連続セルフタイマ撮影処理のうち、ガイド音声出力前処理の詳細な流れを説明するフローチャートである。
【００７９】
ステップＳ１０１において、ガイド音声出力前処理部５５は、ガイド表示ありか否かを判定する。
ガイド表示ありの場合には、ステップＳ１０１においてＹＥＳと判定されて、処理はステップＳ１０２に進む。
【００８０】
ステップＳ１０２において、ガイド音声出力前処理部５５は、図４に示すガイド音声に対応するガイド表示する。
【００８１】
ステップＳ１０３において、ガイド音声出力前処理部５５は、撮像画像内の被写体がガイド表示に合致するか否かを判定する。
ガイド表示に合致しない場合には、ステップＳ１０３においてＮＯと判定されて、ガイド表示に合致するまで待機状態となる。
ガイド表示に合致した場合には、ステップＳ１０３においてＹＥＳと判定されて、ガイド音声出力前処理は終了する。
【００８２】
これに対して、ガイド表示ありでない場合には、ステップＳ１０１においてＮＯと判定されて、処理はステップＳ１０４に進む。
【００８３】
ステップＳ１０４において、ガイド音声出力前処理部５５は、撮影位置又は角度が閾値以上移動するか否かを判定する。
撮影位置又は角度が閾値以上移動する場合には、ステップＳ１０４においてＹＥＳと判定されて、処理はステップＳ１０５に進む。
【００８４】
ステップＳ１０５において、ガイド音声出力前処理部５５は、撮影位置又は角度を変更しているとみなする。
【００８５】
ステップＳ１０６において、ガイド音声出力前処理部５５は、撮像装置が停止したか否かを判定する。
撮像装置が停止していない場合には、ステップＳ１０６においてＮＯと判定されて、待機状態となる。
撮像装置が停止した場合には、ステップＳ１０６においてＹＥＳと判定されて、処理はステップＳ１０７に進む。
【００８６】
ステップＳ１０７において、ガイド音声出力前処理部５５は、被写体が停止したか否かを判定する。
被写体が停止しない場合には、ステップＳ１０７においてＮＯと判定されて、処理はステップＳ１０６に戻る。
被写体が停止した場合には、ステップＳ１０７においてＹＥＳと判定されて、処理はステップＳ１０８に進む。
【００８７】
ステップＳ１０９において、ガイド音声出力前処理部５５は、記憶されている撮像済みの位置、角度と一致するか否かを判定する。
記憶されている撮像済みの位置、角度と一致しない場合には、ステップＳ１０９においてＮＯと判定されて、ガイド音声出力前処理は終了する。
記憶されている撮像済みの位置、角度と一致する場合には、ステップＳ１０９においてＹＥＳと判定されて、処理はステップＳ１１０に進む。
【００８８】
ステップＳ１１０において、ガイド音声出力前処理部５５は、重複撮影メッセージ表示をする。
【００８９】
これに対して、撮影位置又は角度が閾値以上移動しない場合には、ステップＳ１０４においてＮＯと判定されて、処理はステップＳ１１１に進む。
【００９０】
ステップＳ１１１において、ガイド音声出力前処理部５５は、撮像装置が停止したか否かを判定する。
撮像装置が停止しない場合には、ステップＳ１１１においてＮＯと判定されて、待機状態となる。
撮像装置が停止した場合には、ステップＳ１１１においてＹＥＳと判定されて、処理はステップＳ１１２に進む。
【００９１】
ステップＳ１１２において、ガイド音声出力前処理部５５は、被写体が停止した否かを判定する。
被写体が停止しない場合には、ステップＳ１１２においてＮＯと判定されて、待機状態となる。
被写体が停止した場合には、ステップＳ１１２においてＹＥＳと判定されて、ガイド音声出力前処理は終了する。
なお、ガイド表示を行うか否かの選択は、連続セルフタイマ撮影処理の開始に先立ったユーザにより選択されているものとし、ガイド音声出力前処理部５５は、ガイド表示を行うか否かのユーザによる選択に基づき、ガイド音声出力前処理を実行する。
【００９２】
図１２は、図２の機能的構成を有する図１の撮像装置１が実行するガイド音声作成処理の詳細な流れを説明するフローチャートである。
ガイド音声作成処理は、ユーザによる入力部１８へのガイド音声作成処理開始の操作により開始される。
【００９３】
ステップＳ１３１において、ガイド音声作成処理部６１は、入力部１８に対する作成開始操作を検出する。
【００９４】
ステップＳ１３２において、ガイド音声作成処理部６１は、マイクである入力部１８より録音を開始する。
【００９５】
ステップＳ１３３において、ガイド音声作成処理部６１は、録音を終了するか否かを判定する。
録音を終了しない場合には、ステップＳ１３３においてＮＯと判定されて、録音を継続する。
録音を終了する場合には、ステップＳ１３３においてＹＥＳと判定されて、処理はステップＳ１３４に進む。
【００９６】
ステップＳ１３４において、ガイド音声作成処理部６１は、録音における音声の有音部分を検出する。
【００９７】
ステップＳ１３５において、ガイド音声作成処理部６１は、検出した有音部分の後に所定時間分無音部分を追加して音声データを作成する。
【００９８】
ステップＳ１３６において、ガイド音声作成処理部６１は、ユーザによる入力部１８への操作により音声データに名称を追加する。
【００９９】
したがって、撮像装置１においては、音声ファイルを再生（ガイダンス）することで、計時機能を使わず、連続セルフタイマ撮影を実現することができる。
【０１００】
＜撮影対象判定処理の変形例＞
上述した撮影対象判定処理では、被写体が子供か、子供以外の人物か、人物以外かで場合で、撮影枚数を決定していた。
本例では、人物の検出を行って、人物である場合には、人物の状態を判別して、判別した人物の状態に応じて、撮影枚数を決定するように構成する。本例では、撮影枚数の決定は、変化度テーブルを参照することにより行う。
また、人物でない場合には、抽出した被写体の輪郭を判別して、判別した輪郭の状態に応じて、撮影枚数を決定するように構成する。本例では、撮影枚数の決定は、複雑度テーブルを参照することにより行う。
【０１０１】
図１３は、変化度テーブル及び複雑度テーブルを説明する図である。
まず、変化度テーブルは、図１３に示すように、人物の状態に応じて、枚数加点の合計により、撮影枚数の決定をするテーブルである。即ち、人物検出を行い、撮像画面に対する人物の状態で時間的な変化度を判定し、撮像画像に対する顔の面積が大きいほど高くなり、人物の顔・上半身・全体の順に高くなり、人数が増えるほど高くなるように枚数の加点をする。具体的には、変化度テーブルでは、「撮像画像に対する顔の面積比率［％］」（〜ｒ１・ｒ１〜ｒ２・ｒ２〜），「人物の部位」（顔・上半身・全身），「人数」（１人・２人・３人〜）によって、枚数加点（１・２・３）が対応付けられている。人物の状態のそれぞれの項目においての枚数加点の合計で撮影枚数を決定する。
【０１０２】
次に、複雑度テーブルは、図１３に示すように、人物が検出されなかった場合に、被写体の輪郭の状態に応じて、枚数加点の合計により、撮影枚数の決定をするテーブルである。即ち、人物が検出されなかった場合は、輪郭抽出による空間的な複雑度判定を行い、輪郭線の長さの合計が長いほど高くなり、所定の長さ以上の連続する輪郭線の本数が多いほど高くなり、所定の曲率以上の輪郭線の比率が高いほど高くなるように枚数の加点をする。具体的には、複雑度テーブルでは、「輪郭線の長さの合計［ｐｉｘｅｌｓ］」（〜ｓ１・ｓ１〜ｓ２・ｓ２〜），「長さａ以上の連続する輪郭線の本数［本］」（〜ｔ１・ｔ１〜ｔ２・ｔ２〜），「曲率ｂ以上の輪郭線の比率［％］」（〜ｕ１・ｕ１〜ｕ２・ｕ２〜）によって、枚数加点（１・２・３）が対応付けられている。被写体の輪郭の状態のそれぞれの項目においての枚数加点の合計で撮影枚数を決定する。これにより、例えば、海原のような変化のない場合は、少ない撮影枚数となる。
【０１０３】
図１４は、撮影条件設定処理のうち、撮影対象判定処理の詳細な流れの変形例を説明するフローチャートである。
【０１０４】
ステップＳ６１−１において、撮影条件設定処理部５２は、撮像画像から公知の人物検出技術を使用して人物を検出する。
【０１０５】
ステップＳ６２−１において、撮影条件設定処理部５２は、人物ありか否かを判定する。
【０１０６】
人物なしの場合には、ステップＳ６２−１においてＮＯと判定されて、処理はステップＳ６５−１に進む。
【０１０７】
人物ありの場合には、ステップＳ６２−１においてＹＥＳと判定されて、処理はステップＳ６３−１に進む。
【０１０８】
ステップＳ６３−１において、撮影条件設定処理部５２は、撮像画像から公知の人物解析技術を使用して人物の状態を判別する。
【０１０９】
ステップＳ６４−１において、撮影条件設定処理部５２は、ステップＳ６３−１で判別された人物の状態から変化度テーブルを参照して、撮像枚数を決定する。具体的には、撮影条件設定処理部５２は、図１３に示す変化度テーブルを参照して、人物の状態に応じた枚数加点の合計から撮影枚数を決定する。
【０１１０】
ステップＳ６５−１において、撮影条件設定処理部５２は、撮像画像から公知の輪郭抽出技術を使用して輪郭線を抽出する。
【０１１１】
ステップＳ６６−１において、撮影条件設定処理部５２は、撮像画像から公知の輪郭解析技術を使用して輪郭線の状態を判別する。
【０１１２】
ステップＳ６７−１において、撮影条件設定処理部５２は、ステップＳ６６−１で判別された輪郭の状態から複雑度テーブルを参照して、撮像枚数を決定する。具体的には、撮影条件設定処理部５２は、図１３に示す複雑度テーブルを参照して、被写体の輪郭線の状態に応じた枚数加点の合計から撮影枚数を決定する。
【０１１３】
＜ガイド音声選択処理の変形例＞
上述したガイド音声選択処理では、全撮影で同じ音声とするか、何枚目を撮影するかに応じて変更するかをユーザ設定により切り換えられるように構成した。
【０１１４】
本例では、ガイド音声は、１枚目の撮影時に人物の種類、表情（男、女、笑顔でない、等）を判別して、判別結果に応じて選択的に切り換えるように構成する。
ここでは、連続セルフタイマ撮影処理に先だってユーザにより１枚目の判別結果に応じてガイド音声が切り換わる選択がされているものとする。
【０１１５】
図１５は、連続セルフタイマ撮影処理のうち、ガイド音声選択処理の詳細な流れの変形例を説明するフローチャートである。
【０１１６】
ステップＳ８１−１において、ガイド音声選択処理部５４は、１枚目の撮影か否かを判定する。
１枚目の撮影でない場合には、ステップＳ８１−１においてＮＯと判定されて、ガイド音声選択処理は終了する。
１枚目の撮影である場合には、ステップＳ８１−１においてＹＥＳと判定されて、ステップＳ８２−１に進む。
【０１１７】
ステップＳ８２−１において、ガイド音声選択処理部５４は、撮像部１６から撮像画像を取得する。
【０１１８】
ステップＳ８３−１において、ガイド音声選択処理部５４は、撮像画像から公知の人物検出技術、人物解析技術を使用して人物の種類と表情を撮像画像から判別する。
【０１１９】
ステップＳ８４−１において、ガイド音声選択処理部５４は、判別した人物の種類と表情に応じてガイド音声を選択する。
【０１２０】
＜ガイド音声選択処理の他の変形例＞
本例では、ガイド音声は、撮影ごとに表情を判別して、判別結果に応じて切り換えるように構成する。
ここでは、連続セルフタイマ撮影処理に先だってユーザにより撮影ごとに判別結果に応じてガイド音声が切り換わる選択がされているものとする。
【０１２１】
例えば、表情を形成する目や口といった複数の部位の広がり具合等から笑顔度を算出する公知の技術を使用し、最初の撮影で笑顔度が閾値（８０％）以下の５０％であれば、次のガイド音声を「もっと笑って」とし、それに対する撮影で６５％であれば「もっともっと笑って」それに対する撮影で８５％であれば「違う顔してみて」と変更していき、逆に最初の撮影で笑顔度が閾値（８０％）以上の９０％であれば、次のガイド音声を「泣き顔をしてみて」にするといったように、前回の表情に応じて、次のガイド音声を変更するように構成する。
【０１２２】
図１６は、連続セルフタイマ撮影処理のうち、ガイド音声選択処理の詳細な流れの他の変形例を説明するフローチャートである。
ステップＳ８１−２において、ガイド音声選択処理部５４は、撮像部１６から撮像画像を取得する。
ステップＳ８２−２において、ガイド音声選択処理部５４は、公知の人物検出技術、人物解析技術を使用して人物の表情を撮像画像から判別する。
ステップＳ８３−２において、ガイド音声選択処理部５４は、判別した表情に応じて上述のように次のガイド音声を選択する。
【０１２３】
以上のように構成される撮像装置１は、セルフタイマによる撮影を連続して行うことができ、出力部１９と、撮像部１６と、撮像制御部５７と、を備える。
出力部１９は、撮影の準備を案内する所定の再生時間の音声が収録されている第１の音声ファイルを再生する。
撮像部１６は、出力部１９による第１の音声ファイルの再生終了後に応じて、１回の撮影を実行する。
撮像制御部５７は、出力部１９による再生と撮像部１６による撮影の実行と、を繰り返し所定回数実行する。
これにより、撮像装置１においては、第１の音声ファイルの再生時間でセルフタイマの時間を制御するので、計時機能を使用する必要がなく、「３、２、１、ハイ」「はい、チーズ」といった撮影案内する音声の選択とタイマ時間の選択を、１の音声ファイルを選択するだけで同時に行うことができる。結果として、利便性と効率を両立してセルフタイマ撮影を連続して行うことができる。
【０１２４】
所定の再生時間は、連続して実行されるセルフタイマ撮影の間隔に対応するように設定されている。
これにより、撮像装置１においては、セルフタイマ撮影における撮影毎に再生することができる。
【０１２５】
また、第１の音声ファイルは、複数種用意される。
出力部１９は、所定の基準に基づき、複数種の中から第１の音声ファイルを選択して再生するように出力部１９を制御する。
これにより、撮像装置１においては、音声ファイルの設定の自由度を高めることができる。
【０１２６】
第１の音声ファイルは、再生時間の異なる複数種が用意されている。
これにより、撮像装置１においては、音声ファイルの設定の自由度を高めることができる。
【０１２７】
第１の音声ファイルは、音声の内容の異なる複数種が用意されている。
これにより、撮像装置１においては、音声ファイルの設定の自由度を高めることができる。
【０１２８】
所定の基準は、撮影回数に基づくものであり、当該撮影回数における何回目の撮影かによる。
これにより、撮像装置１においては、音声ファイルの設定の自由度を高めることができる。
【０１２９】
所定の基準は、直前に撮影された撮影画像を解析した解析内容に基づくものである。
これにより、撮像装置１においては、状態に即した音声ファイルを再生することができる。
【０１３０】
出力部１９は、１回目の第１の音声ファイル再生の前に、撮影の開始を案内する、例えば「スタート」といった第２の音声ファイルを再生するように出力部１９を制御するようにしてもよい。
これにより、撮像装置１においては、利便性と効率を両立してセルフタイマ撮影を連続して行うことができる。
【０１３１】
出力部１９は、所定回数の撮影終了後に、撮影の終了を案内する、例えば「ＯＫ」といった第３の音声ファイルを再生するように出力部１９を制御するようにしてもよい。
これにより、撮像装置１においては、利便性と効率を両立してセルフタイマ撮影を連続して行うことができる。
【０１３２】
また、撮像装置１は、撮像部１６により、静止画が複数枚撮影された場合に、当該撮影された複数の静止画から１の動画を生成する動画生成部６０を備える。
これにより、撮像装置１においては、連続的に撮像した静止画から動画を生成することができる。
【０１３３】
また、音声を集音して音声ファイルを作成する音声作成手段６１を更に備える。
第１の音声ファイルは、ユーザにより作成可能である。
これにより、撮像装置１においては、音声ファイルの設定の自由度を高めることができる。
【０１３４】
音声作成手段６１は、集音された音声のうちの有音部分を検出し、当該検出した有音部分の後に続けて所定時間の無音部分を付加して第１の音声ファイルを作成する。
これにより、撮像装置１においては、音声部分が切れて準備ができる前にすぐに撮影されてしまうことを防止できる。
【０１３５】
なお、本発明は、上述の実施形態に限定されるものではなく、本発明の目的を達成できる範囲での変形、改良等は本発明に含まれるものである。
【０１３６】
上述の実施形態では、撮影条件設定処理においては、複雑度の判定は、更に、撮影シーンを判別して加味してもよい。また、複雑度の判定は、更に、色数や輝度差等を加味してもよい。また、複雑度の判定は、更に、人物以外のペット等の動物を対象にしてもよい。また、撮影枚数、画像サイズは、予め固定値に設定されていてもよい。また、設定された撮影枚数分のメモリ残量が確保できない場合は、圧縮率を変更することで撮影枚数を確保するようにしてもよい。また、設定された撮影枚数分のメモリ残量が確保できない場合は、撮影可能な枚数だけ撮影して撮影を終了するようにしてもよい。
【０１３７】
また、上述の実施形態では、ガイド音声選択処理においては、ガイド音声は、予め固定された音声が設定されていてもよい。
【０１３８】
また、上述の実施形態では、ガイド音声出力前処理においては、重複画像の撮影防止策として、撮像装置の位置、角度に替えて、人物の表情を判別し、撮影済みの人物の表情と類似する場合は、撮影を禁止するようにしてもよい。また、ガイド表示は、輪郭線の表示でもよい。
【０１３９】
また、上述の実施形態では、ガイド音声出力前処理とガイド音声再生を並行して実行し、ガイド音声の再生が終了する前に、ガイド表示と被写体の合致が判別された場合であっても、ガイド音声の再生終了を待って撮影を実行し、ガイド音声の再生が終了した時点で、ガイド表示と被写体の合致が判別されなかった場合は、ガイド表示と被写体の合致が判別されること待って撮影を実行してもよい。
【０１４０】
また、上述の実施形態では、ガイド音声出力前処理とガイド音声再生を並行して実行し、ガイド音声の再生が終了する前に、撮像装置の停止と被写体の停止が判別された場合であっても、ガイド音声の再生終了を待って撮影を実行し、ガイド音声の再生が終了した時点で、撮像装置の停止と被写体の停止が判別されなかった場合は、撮像装置の停止と被写体の停止が判別されること待って撮影を実行してもよい。
【０１４１】
また、上述の実施形態では、撮影条件設定処理として、撮影設定情報記憶部８１に、例えば、子供、子供以外の人物、人物以外といった撮影シーンに対応して撮影枚数を記憶しておき、ユーザにより選択された撮影シーンに応じて、撮影枚数を設定するようにしてもよい。
【０１４２】
また、上述の実施形態では、動画ファイル生成処理においては、静止画１枚ごとの表示時間、静止画間の効果の時間、種類は任意にユーザが任意に設定できるようにしてもよい。また、静止画１枚の表示中にアニメーション（例えば、ズーム）を行うようにしてもよい、その場合、静止画１枚ごとの表示時間は例えば、３秒といったように長くすることが望ましい。
【０１４３】
また、上述の実施形態では、ガイド音声作成処理においては、名称は所定の規則で自動生成してもよい。
【０１４４】
また、上述の実施形態では、なお、ガイド音声選択処理では、音声ファイルは、製品を出荷する国や、ＧＰＳ機能で取得された座標から特定される国に応じて、対応する言語に応じて切り替えるようにしてもよい。
【０１４５】
また、上述の実施形態では、本発明が適用される撮像装置１は、デジタルカメラを例として説明したが、特にこれに限定されない。
例えば、本発明は、セルフタイマ撮影処理及びガイド音声作成処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１４６】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【０１４７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１４８】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２０に含まれるハードディスク等で構成される。
【０１４９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１５０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１５１】
以下に、本願の出願当初の特許請求の範囲に記載された発明を付記する。
［付記１］
セルフタイマによる撮影を連続して行うことができる撮像装置であって、
撮影の準備を案内する所定の再生時間の音声が収録されている第１の音声ファイルを再生する再生手段と、
前記再生手段による前記第１の音声ファイルの再生終了に応じて、１回の撮影を実行する撮影手段と、
前記再生手段による再生と前記撮影手段による撮影の実行とを、繰り返し所定回数実行する制御手段と、
を備えることを特徴とする撮像装置。
［付記２］
前記所定の再生時間は、連続して実行されるセルフタイマ撮影の間隔に対応するように設定されている、
ことを特徴とする付記１に記載の撮像装置。
［付記３］
前記第１の音声ファイルは、複数種用意され、
前記再生手段は、所定の基準に基づき、複数種の中から前記第１の音声ファイルを選択して再生する、
ことを特徴とする付記１又は２に記載の撮像装置。
［付記４］
前記第１の音声ファイルは、再生時間の異なる複数種が用意されている、
ことを特徴とする付記３に記載の撮像装置。
［付記５］
前記第１の音声ファイルは、音声の内容の異なる複数種が用意されている、
ことを特徴とする付記３又は４に記載の撮像装置。
［付記６］
前記所定の基準は、撮影回数に基づくものであり、当該撮影回数における何回目の撮影かによる、
ことを特徴とする付記３に記載の撮像装置。
［付記７］
前記所定の基準は、直前に撮影された撮影画像を解析した解析内容に基づく、
ことを特徴とする付記３乃至６のいずれか１つに記載の撮像装置。
［付記８］
前記再生手段は、１回目の前記第１の音声ファイル再生の前に、撮影の開始を案内する第２の音声ファイルを再生する、
ことを特徴とする付記１乃至７のいずれか１つに記載の撮像装置。
［付記９］
前記再生手段は、所定回数の撮影終了後に、撮影の終了を案内する第３の音声ファイルを再生する、
ことを特徴とする付記１乃至８のいずれか１つに記載の撮像装置。
［付記１０］
前記撮影手段により静止画が複数撮影された場合に、当該撮影された複数の静止画から１の動画を生成する動画生成手段を備える、
ことを特徴とする付記１乃至９のいずれか１つに記載の撮像装置。
［付記１１］
音声を集音して音声ファイルを作成する音声ファイル作成手段を、更に備え、
前記第１の音声ファイルは、ユーザにより作成可能である、
ことを特徴とする付記１乃至１０のいずれか１つに記載の撮像装置。
［付記１２］
前記音声ファイル作成手段は、集音された音声のうちの有音部分を検出し、当該検出した有音部分の後に続けて所定時間の無音部分を付加して前記第１の音声ファイルを作成する、
ことを特徴とする付記１１に記載の撮像装置。
［付記１３］
セルフタイマによる撮影を連続して行うことができる撮像装置で実行される撮像方法であって、
撮影の準備を案内する所定の再生時間の音声が収録されている第１の音声ファイルを再生する再生ステップと、
前記再生ステップによる前記第１の音声ファイルの再生終了後に、１回の撮影を実行する撮影ステップと、
前記再生ステップによる再生と前記撮影ステップによる撮影の実行とを、繰り返し所定回数実行する制御ステップと、
を含むことを特徴とする撮像方法。
［付記１４］
セルフタイマによる撮影を連続して行うことができる撮像装置を制御するコンピュータに、
撮影の準備を案内する所定の再生時間の音声が収録されている第１の音声ファイルを再生する再生機能と、
前記再生機能による前記第１の音声ファイルの再生終了後に、１回の撮影を実行する撮影機能と、
前記再生機能による再生と前記撮影機能による撮影の実行とを、繰り返し所定回数実行する制御機能と、
を実現させることを特徴とするプログラム。
【符号の説明】
【０１５２】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・センサ部，１８・・・入力部，１９・・・出力部，２０・・・記憶部，２１・・・通信部，２２・・・ドライブ，３１・・・リムーバブルメディア，５１・・・メモリ管理部，５２・・・撮影条件設定処理部，５３・・・入力操作検出部，５４・・・ガイド音声選択処理部，５５・・・ガイド音声出力前処理部，５６・・・出力制御部，５７・・・撮像制御部，５８・・・静止画生成部，５９・・・姿勢管理部，６０・・・動画生成部，６１・・・ガイド音声作成処理部，８１・・・撮影設定情報記憶部，８２・・・ガイド情報記憶部，８３・・・姿勢情報記憶部
【図１】
0005839065.tif 000002
【図２】
0005839065.tif 000003
【図３】
0005839065.tif 000004
【図５】
0005839065.tif 000005
【図６】
0005839065.tif 000006
【図７】
0005839065.tif 000007
【図８】
0005839065.tif 000008
【図９】
0005839065.tif 000009
【図１０】
0005839065.tif 000010
【図１１】
0005839065.tif 000011
【図１２】
0005839065.tif 000012
【図１３】
0005839065.tif 000013
【図１４】
0005839065.tif 000014
【図１５】
0005839065.tif 000015
【図１６】
0005839065.tif 000016
【図４】
0005839065.tif 000017